(57)【要約】      （修正有）【課題】表示月を変更する場合であっても、分解作業及び組み立て作業を簡易且つ迅速に行うことが可能なブロック玩具を提供する。【解決手段】台座部１３と、上記台座部に所定間隔をもって起立して配置された７本の柱状部材１４ａ〜１４ｇとを備え、上記ブロック体１２には、上記柱状部材が貫通しうる貫通孔１５が設けられ、上記柱状部材に複数の上記ブロック体を貫装することによって日付表示部が形成された構成とする。【選択図】図１
0003145560.tif 000002
【実用新案登録請求の範囲】
【請求項１】
日付数字が表示された複数のブロック体を組み立てることで一月分のカレンダーとして機能しうるブロック玩具であって、
台座部と、
上記台座部に所定間隔をもって起立して配置された7本の柱状部材とを備え、
上記ブロック体には、上記柱状部材が貫通しうる貫通孔が設けられ、上記柱状部材に複数の上記ブロック体を貫装することによって日付表示部が形成されることを特徴とするブロック玩具。
【請求項２】
上記台座部は細長略直方体に形成されると共に、上記日付表示部は総数３５個の略直方体形状に形成されたブロック体から構成され、
上記ブロック体のうち３１個には、一側面部に１乃至３１の日付が表示されると共に、上記３１個のブロック体のうち、一側面部に「２３」と「２４」の日付表示が表示されたブロック体については、上記一側面部に対向する側面部に「２３と３０」、及び「２４と３１」の２つの日付がそれぞれ表示され、
上記貫通孔は上記ブロック体の上面部から下面部にかけて貫通して設けられ、
上記柱状部材は、上記貫通孔よりも細径の円柱状に形成され、上記台座部の長さ方向に沿って等間隔に配設されていることを特徴とする請求項１記載のブロック玩具。
【請求項３】
上記柱状部材は、上記ブロック体を高さ方向に５段貫装した状態において、最上段に位置するブロック体より上端部が所定寸法突出しうる長さ寸法に形成され、
上記柱状部材の、突出した上端部に嵌合しうる孔部が設けられた上部部材を備えると共に、上記孔部に上記柱状部材の突出した上端部を嵌合させた場合に、上記上部部材の前面部において上記柱状部材に対応する位置に、日曜日から土曜日までの曜日を表す曜日表示がされていることを特徴とする請求項２記載のブロック玩具。
【請求項４】
上記上部部材には月番号表示部が着脱自在に取り付けられていることを特徴とする請求項３記載のブロック玩具。
【請求項５】
上記月番号表示部は表面及び裏面に１乃至１２の内、連続する２つの数字が印字され、薄型板状に形成された６枚の月番号表示板部から構成され、
上記上部部材には、上記６枚の月番号表示板部を厚さ方向に重ね合わせた状態で着脱自在に挿入しうる孔部が設けられ、当該月に該当する数字を表示する月番号表示板部を前面に配置し、他の上記月番号表示板部を後ろに重ね合わせた状態で、上記上部部材の孔部に挿入することで当該月が表示されることを特徴とする請求項４記載のブロック玩具。
【考案の詳細な説明】
【技術分野】
【０００１】
本考案は、日付数字が印字された複数のブロック体を組み立てることで、一月分のカレンダーとして機能しうるブロック玩具に関する。
【背景技術】
【０００２】
日付数字が表示された複数のブロック体を縦横に配列して一月分のカレンダーとして機能しうるブロック玩具は従来から提案されている（特許文献１）。
図８に示すように、特許文献１に係るブロック玩具７０は、日付数字７１が印字された複数の日付表示ブロック体７２と、上記日付表示ブロック体７２と同一形状に形成され、曜日７３が表示された7つの曜日表示ブロック体７４と、上記日付表示ブロック体７２と同一形状に形成された無地の複数の補助ブロック体７５とから形成されている。
上記日付表示ブロック体７２、曜日表示ブロック体７４、及び補助ブロック体７５は、それぞれ略直方体形状に形成され、上記日付表示ブロック体７２、曜日表示ブロック体７４、及び補助ブロック体７５の上面部７６には上方に突出する突起部７７が設けられ、上記日付表示ブロック体７２、曜日表示ブロック体７４、及び補助ブロック体７５の下面部７８には、上記突起部７７が嵌合しうる孔部（図８には図示せず）が設けられている。
上記日付表示ブロック体７２、曜日表示ブロック体７４、及び補助ブロック体７５を組み立てて、一月分のカレンダーを形成する場合は、図８に示すように、８個の補助ブロック体７５を長さ方向に並置して細長直方体形状の台座部７９を形成し、上記台座部７９の上部に、上記台座部７９の隣接する補助ブロック体７５を跨いで7つの補助ブロックを上記台座部７９の長さ方向に沿って接合し、日付表示部８０の最下段部８１を形成する。
更に、上記最下段部８１の上方に、表示する当該月の日付配置に基づき、同一段が同一週、かつ同一列が同一曜日となるように日付表示ブロック体７２を順次積み上げて接合する。
なお、当該月の最初の週が週の途中から始まる場合、及び最終の週が週の途中で終了する場合は、空白部分に補助ブロック７５を配置して当該週の段を形成し、最上段に曜日表示ブロック体７４を接合することによって、任意の月の一月分の日付表示部８０が完成する。
【０００３】
上記ブロック玩具７０は、日付表示ブロック体７２の配置を変更することで任意年の、任意月のカレンダーを表示することが可能であるが、表示月を変更する場合は、各ブロック体の接合を外して分解後、再度表示月に対応するように各ブロック体を接合して組み立てる必要があり、分解及び組立作業に非常に手間がかかるという不具合を有していた。
【０００４】
【特許文献１】実用新案登録第３０８５２４６号
【考案の開示】
【考案が解決しようとする課題】
【０００５】
本考案の課題は、表示月を変更する場合であっても、分解作業及び組み立て作業を簡易、且つ迅速に行うことが可能なブロック玩具を提供することにある。
【課題を解決するための手段】
【０００６】
上記課題を解決するために、請求項１の考案にかかるブロック玩具は、日付数字が表示された複数のブロック体を組み立てることで一月分のカレンダーとして機能しうるブロック玩具であって、台座部と、上記台座部に所定間隔をもって起立して配置された7本の柱状部材とを備え、上記ブロック体には、上記柱状部材が貫通しうる貫通孔が設けられ、上記柱状部材に複数の上記ブロック体を貫装することによって日付表示部が形成されることを特徴とする。
【０００７】
従って、上記ブロック体の貫通孔に上記柱状部材を順次貫通させて積み上げることで、容易に組み立てが可能であると共に、各ブロック体は互いに接合されないため、上記ブロック体を上記柱状部材から抜き取るだけで容易に分解することができる。
【０００８】
また、請求項２の考案にかかるブロック玩具は、上記台座部は細長略直方体に形成されると共に、上記日付表示部は総数３５個の略直方体形状に形成されたブロック体から構成され、上記ブロック体のうち３１個には、一側面部に１乃至３１の日付数字が表示されると共に、上記３１個のブロック体のうち、一側面部に「２３」と「２４」の日付表示が表示されたブロック体については、上記一側面部に対向する側面部に「２３と３０」、及び「２４と３１」の２つの日付がそれぞれ表示され、上記貫通孔は上記ブロック体の上面部から下面部にかけて貫通して設けられ、上記柱状部材は、上記貫通孔よりも細径の円柱状に形成され、上記台座部の長さ方向に沿って等間隔に配設されていることを特徴とする。
【０００９】
従って、同一曜日となる日付が表示されたブロック体を同一の柱状部材に貫装し、同一段には同一週となる日付が表示されたブロック体を配置することで任意の月の日付配置パターンを表現することが可能となると共に、当該月の最初の週が週の中途から始まる場合と、最終週が週の中途で終了する場合には、数字が表示されていないブロック体を空白部分に配置することで、組み立て後の完成形は７列５段の構成となる。
また、月日数が３１日に満たない場合は、不要な日付表示については日付が表示されていない一側面を前面に向けて上記柱状部材に貫装することによって、２月、４月、６月、９月、１１月の所謂小の月であっても柔軟に表現することが可能となる。
また、金曜日、若しくは土曜日から当該月が開始する場合は、３１日、若しくは３０日と３１日の両日が第６週目となるが、この場合であっても、「２３と３０」、「２４と３１」の２つの日付が表示されたブロック体を用いて最終週を表現することによって、全体として７列５段の構成とすることができる。
【００１０】
また、請求項３にかかるブロック玩具は、上記柱状部材は、上記ブロック体を高さ方向に５段貫装した状態において、最上段に位置するブロック体より上端部が所定寸法突出しうる長さ寸法に形成され、上記柱状部材の、突出した上端部に嵌合しうる孔部が設けられた上部部材を備えると共に、上記孔部に上記柱状部材の突出した上端部を嵌合させた場合に、上記上部部材の前面部において上記柱状部材に対応する位置に、日曜日から土曜日までの曜日を表す曜日表示がされていることを特徴とする。
【００１１】
従って、上記曜日表示を参照することにより、当該日付に対応する曜日を迅速に把握することが可能となる。
【００１２】
また、請求項４の考案にかかるブロック玩具は、上記上部部材には月番号表示部が着脱自在に取り付けられていることを特徴とする。
【００１３】
従って、表示月を迅速に把握することが可能であると共に、上記月番号表示部を変更することで任意月を表示することが可能となる。
【００１４】
また、請求項５の考案にかかるブロック玩具は、上記月番号表示部は表面及び裏面に１乃至１２の内、連続する２つの数字が印字され、薄型板状に形成された６枚の月番号表示板部から構成され、上記上部部材には、上記６枚の月番号表示板部を厚さ方向に重ね合わせた状態で着脱自在に挿入しうる孔部が設けられ、当該月に該当する数字を表示する月番号表示板部を前面に配置し、他の上記月番号表示板部を後ろに重ね合わせた状態で、上記上部部材の孔部に挿入することで当該月が表示されることを特徴とする。
【００１５】
従って、前面に配置する月番号表示板部を入れ替えることによって、月番号表示部の表示月を容易に変更することが可能となる。
【考案の効果】
【００１６】
請求項１に記載の考案にあっては、日付数字が表示された複数のブロック体を、柱状部材に貫装させるという、簡単な操作で組み立てることが可能であり、且つ従来のブロック玩具と異なり、各ブロックの接合を一つずつ取り外す必要がないことから、分解作業も極めて簡易である。
従って、表示月を変更する場合であっても、分解作業及び組み立て作業を簡易、且つ迅速に行うことが可能なブロック玩具を提供することができる。
【００１７】
また、請求項２の考案にかかるブロック玩具は、上記台座部は細長略直方体に形成されると共に、上記日付表示部は総数３５個の略直方体形状に形成されたブロック体から構成され、上記ブロック体のうち３１個には、一側面部に１乃至３１の日付数字が表示されると共に、上記３１個のブロック体のうち、一側面部に「２３」と「２４」の日付表示が表示されたブロック体については、上記一側面部に対向する側面部に「２３と３０」、及び「２４と３１」の２つの日付がそれぞれ表示され、上記貫通孔は上記ブロック体の上面部の中心部から下面部の中心部にかけて貫通して設けられ、上記柱状部材は、上記貫通孔よりも細径の円柱状に形成され、上記台座部の長さ方向に沿って等間隔に配設されていることから、請求項１の効果に加え、いかなる日付パターンにおいても、常に組み立て完成形が７列５段の構成なるため、表示月に関わらず組み立て完成形の形態が統一され、外観品質がより良いものとなる。
【００１８】
また、請求項３の考案に係るブロック玩具は、上記柱状部材は、上記ブロック体を高さ方向に５段貫装した状態において、最上段に位置するブロック体より上端部が所定寸法突出しうる長さ寸法に形成され、上記柱状部材の、突出した上端部に嵌合しうる孔部が設けられた上部部材を備えると共に、上記孔部に上記柱状部材の突出した上端部を嵌合させた場合に、上記上部部材の前面部において上記柱状部材に対応する位置に、日曜日から土曜日までの曜日を表す曜日表示がされていることから、請求項１の効果に加え、特許文献１のように曜日表示ブロック体を接合する方法に比して、より組み立て作業が容易となる。
【００１９】
また、請求項４の考案に係るブロック玩具は、上記上部部材には月番号表示部が着脱自在に取り付けられていることから、請求項１の効果に加え、月変更時の対応がより容易となる。
更に、請求項５の考案に係るブロック玩具は、上記月番号表示部は、表面及び裏面に１乃至１２の内、連続する２つの数字が印字され、薄型板状に形成された６枚の月番号表示板部から構成され、上記上部部材には、上記６枚の月番号表示板部を厚さ方向に重ね合わせた状態で着脱自在に挿入しうる孔部が設けられ、当該月に該当する数字を表示する月番号表示板部を前面に配置し、他の月番号表示板部を後ろに重ね合わせた状態で、上記上部部材の孔部に挿入することで当該月が表示されることから、請求項１の効果に加え、月番号表示変更が容易であると共に、上記上部部材に６枚全てを重ねて取り付けることが可能であることから、表示月以外の月番号表示板部を別途保管しておく必要が無く、上記月番号表示板部を紛失してしまう虞がない。
【考案を実施するための最良の形態】
【００２０】
以下、図面を用いて本考案の実施の形態について説明する。
図１に示すように、本実施の形態に係るブロック玩具１０は、日付数字１１が表示された複数のブロック体１２を組み立てることで一月分のカレンダーとして機能し、台座部１３と、上記台座部１３に所定間隔をもって起立して配置された7本の柱状部材１４ａ，１４ｂ、１４ｃ、１４ｄ、１４ｅ、１４ｆ、１４ｇとを備え、上記ブロック体１２には、上記柱状部材１４ａ〜１４ｇが貫通しうる貫通孔１５が設けられ、上記柱状部材１４ａ〜１４ｇに複数の上記ブロック体１２を貫装することによって日付表示部１６が形成されている。
図２に示すように、上記台座部１３は細長略直方体に形成されると共に、図４に示すように、上記日付表示部１６は総数３５個の略直方体形状に形成されたブロック体１２から構成され、図３に示すように、上記ブロック体１２のうち３１個には、一側面部に１乃至３１の日付数字１１が表示されると共に、図５及び図７に示すように、上記３１個のブロック体１２のうち、一側面部に「２３」と「２４」の日付表示が表示されたブロック体１２Ｘ、１２Ｙについては、上記一側面部に対向する側面部に「２３と３０」、及び「２４と３１」の２つの日付がそれぞれ表示され、図３に示すように、上記貫通孔１５は上記ブロック体１２の上面部１７から下面部１８にかけて貫通して設けられ、図１に示すように、上記柱状部材１４ａ〜１４ｇは、上記貫通孔１５よりも細径の円柱状に形成され、上記台座部１３の長さ方向に沿って等間隔に配設されている。
また、図４に示すように上記柱状部材１４ａ〜１４ｇは、上記ブロック体１２を高さ方向に５段貫装した状態において、最上段に位置するブロック体１２より上端部１９ａ、１９ｂ，１９ｃ，１９ｄ，１９ｅ，１９ｆ，１９ｇが所定寸法突出しうる長さ寸法に形成され、上記柱状部材１４ａ〜１４ｇの突出した上端部１９ａ〜１９ｇに嵌合しうる孔部２０ａ、２０ｂ，２０ｃ，２０ｄ，２０ｅ，２０ｆ，２０ｇが設けられた上部部材２１を備えると共に、上記孔部２０ａ〜２０ｇに上記柱状部材１４ａ〜１４ｇの上端部１９ａ〜１９ｇを嵌合させた場合に、上記上部部材２１の前面部２２において上記柱状部材１４ａ〜１４ｇに対応する位置に、日曜日から土曜日までの曜日を表す曜日表示２３ａ、２３ｂ、２３ｃ、２３ｄ、２３ｅ、２３ｆ、２３ｇが表示されている。
また、図１に示すように、上記上部部材２１には月番号表示部２４が着脱自在に取り付けられている。
図６に示すように、上記月番号表示部２４は、表面と裏面に１乃至１２の内連続する２つの数字が印字され、薄型板状に形成された６枚の月番号表示板部２４ａ、２４ｂ、２４ｃ、２４ｄ、２４ｅ、２４ｆから構成され、上記上部部材２１には、上記６枚の月番号表示板部２４ａ〜２４ｆを厚さ方向に重ね合わせた状態で着脱自在に挿入しうる孔部２７が設けられ、当該月に該当する数字を表示する月番号表示板部２４ａを前面に配置し、他の月番号表示板部２４ａ〜２４ｆを後ろに重ね合わせた状態で、上記上部部材２１の孔部２７に挿入することで当該月が表示される。
【実施例１】
【００２１】
以下に、図面を用いて本実施例について詳細を説明する。
図５は、ブロック体１２を７列５段の構成となるように、柱状部材１４ａ〜１４ｇ（図５では視認できず）に貫装し、上部部材２１を柱状部材１４ａ〜１４ｇの上端部１９ａ〜１９ｇ（図５では視認できず）に嵌合させ、或る年の７月のカレンダーを示すように組み立てられた状態のブロック玩具１０を示している。
図５に示すように、上記月番号表示部２４は、「７」が記載された月番号表示板部２４ａが前面に配置され、厚さ方向に他の月番号表示板部２４ｂ〜２４ｆが後ろに重ねられた状態で上記上部部材２１の孔部２７に挿入されており、上記ブロック玩具１０の日付表示部１６を正面から視認した場合に、７月のカレンダーである旨を認識することができる。
上記各ブロック体１２で構成された日付表示部１６の各列は、図５中左方から右方に向かって、日曜日、月曜日、火曜日、水曜日、木曜日、金曜日、土曜日をそれぞれ示し、また、各段は同一週であることを示している。
上記上部部材２１の前面部２２には、上記ブロック体１２の各列、すなわち上記柱状部材１４ａ〜１４ｇに対応する位置に、上記各曜日に対応する曜日表示２３ａ〜２３ｇが表示されている。
また、上記日付表示部１６の最終週である最下段部については、当該月の末日である３１日が火曜日であるため、最下段部の水曜日、木曜日、金曜日、土曜日の部分には、日付数字１１が表示されていないブロック体１２が配置されている。
【００２２】
表示月を変更する必要が生じた場合には、図４に示すように、上記上部部材２１と、上記柱状部材１４ａ〜１４ｇの上端部１９ａ〜１９ｇとの嵌合を外し、上記ブロック体１２を上記柱状部材１４ａ〜１４ｇから順次抜き取って分解する。
次いで、変更する月の日付配列を確認し、図１に示すように、表示させる月の日付配列に従って、ブロック体１２を所定の柱状部材１４ａ〜１４ｇに順次貫装する。
この際、図４に示すように、月初めが日曜日以外から始まる場合は、最初の週の日曜日から当該月の開始曜日までは、日付数字１１が表示されていないブロック体１２を柱状部材１４ａ〜１４ｇに貫装して最上段を構成する。
【００２３】
また、月初めが金曜日若しくは土曜日から開始する場合、当該月の３０日、若しくは３０日と３１日は第６週目となる。
上記の場合は、図７の（a）または（b）に示すように、「２３と３０」、及び「２４と３１」の２つの日付が表示されたブロック体１２Ｘ、１２Ｙを用いて、「２３と３０」、及び「２４と３１」を前面に配置して最終週である最下段部を構成することによって、組み立て後の完成形を７列５段の構成にすることが可能である。
【００２４】
また、月番号については、図６に示す月番号表示板部２４ａ〜２４ｆのうち、表示させる月番号が表示された月番号表示板部２４ａ〜２４ｆのいずれか一枚の、表面若しくは裏面を前面に配置して、他の月番号表示板部２４ａ〜２４ｆを後ろに重ね合わせて上記上部部材２１の孔部２７に挿入することで、月番号を自由に変更することができる。
【００２５】
以上のように、本実施例に係るブロック玩具１０を用いることで、表示月を変更する際の分解作業と再組み立て作業を、極めて簡易に、且つ迅速に実施することが可能となる。
【実施例２】
【００２６】
また、図３に示す各ブロック体１２は、各ブロック体１２の上面部１７に上方に向かって突出する突起部（図３に図示せず）を設けると共に、下面部１８に上記突起部（図３に図示せず）が嵌合しうる孔部（図３に図示せず）を設けた形態とすることも可能である。
上記形態の場合であっても、図５に示すように、柱状部材１４ａ〜１４ｇに貫装して組み立てるため、特許文献１に示した従来のブロック玩具と比して、ブロック体１２を互いに接合させ易く、組み立て作業が容易であるという効果を奏すると共に、組み立て後に、ブロック体１２がぐらつかず、より整った配列に日付表示部１６が形成されることから、日付表示部１６の外観品質がより良いものとなるという別途の効果をも奏する。
【産業上の利用可能性】
【００２７】
本考案は、日付数字が表示された複数のブロック体を組み立てることで一月分のカレンダーとして機能しうるブロック玩具に適用可能である。
【図面の簡単な説明】
【００２８】
【図１】本考案にかかるブロック玩具の一実施の形態を示し、柱状部材に一部のブロック体を貫装した状態の台座部と、月番号表示部が取り付けられた状態の上部部材を示す斜視図である。
【図２】本考案にかかるブロック玩具の一実施の形態を示し、台座部と、月番号表示部が取り付けられた状態の上部部材を示す斜視図である。
【図３】本考案にかかるブロック玩具のブロック体を示す斜視図である。
【図４】本考案にかかるブロック玩具の一実施の形態を示し、柱状部材に全てのブロック体を貫装した状態の台座部と、孔部が設けられた面を正面に向けて載置された上部部材を示す正面図である。
【図５】本考案にかかるブロック玩具の一実施の形態を示し、柱状部材に全てのブロック体を貫装した状態の台座部と、柱状部材の上端部に月番号表示部が取り付けられた状態の上部部材を嵌合させた状態を示す斜視図である。
【図６】本考案にかかるブロック玩具の上部部材の正面図と、月番号表示板部を載置した状態を示す斜視図である。
【図７】本考案にかかるブロック玩具によって第６週が存在する月を７列５段構成で表現した場合のブロック体の配置を示す概念図である。
【図８】従来のブロック玩具によって一月分のカレンダーを構成した状態を示す全体正面図及び平面図である
【符号の説明】
【００２９】
１０  ブロック玩具
１１  日付数字
１２  ブロック体
１２Ｘ  日付表示２３がされたブロック体
１２Ｙ  日付表示２４がされたブロック体
１３  台座部
１４ａ柱状部材
１４ｂ柱状部材
１４ｃ柱状部材
１４ｄ柱状部材
１４ｅ柱状部材
１４ｆ柱状部材
１４ｇ柱状部材
１５  貫通孔
１６  日付表示部
１７  ブロック体の上面部
１８  ブロック体の下面部
１９ａ柱状部材の上端部
１９ｂ柱状部材の上端部
１９ｃ柱状部材の上端部
１９ｄ柱状部材の上端部
１９ｅ柱状部材の上端部
１９ｆ柱状部材の上端部
１９ｇ柱状部材の上端部
２０ａ孔部
２０ｂ孔部  
２０ｃ孔部
２０ｄ孔部
２０ｅ孔部
２０ｆ孔部
２０ｇ孔部  
２１  上部部材
２２  上部部材の前面部
２３ａ曜日表示
２３ｂ曜日表示
２３ｃ曜日表示
２３ｄ曜日表示
２３ｅ曜日表示
２３ｆ曜日表示
２３ｇ曜日表示
２４  月番号表示部
２４ａ月番号表示板部
２４ｂ月番号表示板部
２４ｃ月番号表示板部
２４ｄ月番号表示板部
２４ｅ月番号表示板部
２４ｆ月番号表示板部
２７  上部部材の孔部
７０  ブロック玩具
７１  日付数字
７２  日付表示ブロック体
７３  曜日
７４  曜日表示ブロック体
７５  補助ブロック体
７６  ブロック体の上面部
７７  ブロック体の突起部
７８  ブロック体の下面部
７９  台座部
８０  日付表示部
８１  日付表示部の最下段部
【図１】
0003145560.tif 000003
【図２】
0003145560.tif 000004
【図３】
0003145560.tif 000005
【図４】
0003145560.tif 000006
【図５】
0003145560.tif 000007
【図６】
0003145560.tif 000008
【図７】
0003145560.tif 000009
【図８】
0003145560.tif 000010